(57)【特許請求の範囲】
【請求項１】
アクセサリ取付け用筒状部内に嵌込んだ状態で取付けられる円環状部分を有しこの円環状部分の一部に切欠きを形成しているアクセサリ本体と、
このアクセサリ本体の円環状部分の内側に回動変位可能な状態で保持され、前記切欠きを介して外方に突出する方向に付勢されるとともに一部に前記アクセサリ取付け用筒状部の内周面に径方向内側から係合する係合爪部を設けた前記切欠きよりも幅狭なつまみ部を有する弾性リング部材とを備え、
前記弾性リング部材を前記アクセサリ本体に対して相対的に回動変位させることにより、前記つまみ部の径方向内側への動きを許容し前記係合爪部を前記アクセサリ取付け用筒状部内周面へ係合または係合解除する着脱位置と、前記つまみ部の径方向内側への動きを規制し前記係合爪部を前記アクセサリ取付け用筒状部内周面に係合させた状態を維持するロック位置とを選択できるように構成したことを特徴とするレンズ用アクセサリ。
【請求項２】
請求項１記載のレンズ用アクセサリにおいて、
前記アクセサリ本体と弾性リング部材とに、この弾性リング部材を前記アクセサリ本体に対し着脱位置からロック位置に回動変位させたときに、前記つまみ部の径方向内側への動きを規制する係合手段を設けたことを特徴とするレンズ用アクセサリ。
【請求項３】
請求項２記載のレンズ用アクセサリにおいて、
前記係合手段を、前記アクセサリ本体に設けた係合部と前記弾性リング部材に設けた被係合部とによって構成したことを特徴とするレンズ用アクセサリ。
【請求項４】
請求項３記載のレンズ用アクセサリにおいて、
前記係合部、被係合部の一方を突起部により構成し、他方を係合溝によって構成したことを特徴とするレンズ用アクセサリ。
【請求項５】
請求項４記載のレンズ用アクセサリにおいて、
前記突起部を、前記アクセサリ本体または前記弾性リング部材に一体的に設けたことを特徴とするレンズ用アクセサリ。
【請求項６】
請求項１、請求項２、請求項３、請求項４または請求項５記載のレンズ用アクセサリにおいて、
前記アクセサリ本体の円環状部分の一部に、該円環状部分よりも外方へ移動可能な弾性変形部を有する弾性片を少なくとも一つ設け、
前記弾性リング部材の一部に前記弾性片の弾性変形部を径方向外側に押圧する膨出部を設け、
前記弾性リング部材が前記ロック位置に至ったときに前記膨出部により前記弾性片の弾性変形部を径方向外側に付勢し、アクセサリ取付け用筒状部の内周面への保持力を増加させるように構成したことを特徴とするレンズ用アクセサリ。
【請求項７】
請求項６記載のレンズ用アクセサリにおいて、
前記弾性片は前記アクセサリ本体の円環状部分の一部に設けた片持ち弾性片または両持ち弾性片のいずれかによって構成されることを特徴とするレンズ用アクセサリ。
【請求項８】
請求項６または請求項７記載のレンズ用アクセサリにおいて、
前記弾性片の弾性変形部の径方向外側部分に摩擦部材を設けたことを特徴とするレンズ用アクセサリ。
【請求項９】
アクセサリ取付け用筒状部内に嵌込んだ状態で取付けられる円環状部分を有しこの円環状部分の一部に切欠きを形成しているアクセサリ本体と、
このアクセサリ本体の円環状部分の内側に回動変位可能な状態で保持され、前記切欠きを介して外方に突出している前記切欠きよりも幅狭なつまみ部を有する弾性リング部材とを備え、
前記アクセサリ本体の円環状部分の一部に、該円環状部分よりも外方へ移動可能な弾性変形部を有する弾性片を少なくとも一つ設けるとともに、
前記弾性リング部材の一部に前記弾性片の弾性変形部を径方向外側に押圧する膨出部を設け、
前記弾性リング部材を前記アクセサリ本体に対して所定の回動位置まで回動させたときに前記膨出部により前記弾性片の弾性変形部を径方向外側に付勢し、前記弾性変形部を前記アクセサリ取付け用筒状部の内周面に押し付けてこのアクセサリ取付け部の内周面への保持力を得るように構成したことを特徴とするレンズ用アクセサリ。
【請求項１０】
請求項９記載のレンズ用アクセサリにおいて、
前記弾性片は前記アクセサリ本体の円環状部分の一部に設けた片持ち弾性片または両持ち弾性片のいずれかによって構成されることを特徴とするレンズ用アクセサリ。
【請求項１１】
請求項９または請求項１０記載のレンズ用アクセサリにおいて、
前記弾性片の弾性変形部の径方向外側部分に摩擦部材を設けたことを特徴とするレンズ用アクセサリ。
【請求項１２】
請求項１、請求項２、請求項３、請求項４、請求項５、請求項６、請求項７、請求項８、請求項９、請求項１０または請求項１１記載のレンズ用アクセサリにおいて、
前記弾性リング部材にアクセサリ本体との相対的な回動変位にクリック感を与える手段を設けたことを特徴とするレンズ用アクセサリ。
【発明の詳細な説明】
【０００１】
【発明の属する技術分野】
本発明は、たとえばスチルカメラ、ビデオカメラ、望遠鏡、双眼鏡等に用いるレンズ用アクセサリに関し、特にカメラのレンズ鏡筒の先端部に装着されるレンズキャップやレンズフードのようなレンズ用アクセサリに関する。
【０００２】
【従来の技術】
たとえばカメラにおいて、撮影レンズを保護するためにレンズ鏡筒の先端部に取付けるレンズ用アクセサリには、従来から数種類の取付け構造が知られている。そのなかで着脱が迅速に行えることが求められているレンズキャップには、たとえば図６に示す構造が多く採用されている。
【０００３】
このレンズキャップ１は、図６（ａ），（ｂ）に示すように、レンズ鏡筒（図示せず）の先端部を覆うことにより撮影レンズの表面を保護する蓋体となるレンズキャップ本体２を備え、このレンズキャップ本体２は、略円環状を呈しレンズ鏡筒の先端部内周縁に嵌込まれる環状部２ａとレンズ前面を覆う蓋部２ｂとで構成されている。このレンズキャップ本体２を構成する環状部２ａと蓋部２ｂとは、合成樹脂材で一体に成形されている。
【０００４】
前記環状部２ａの内側には、弾性リング部材４が保持されている。環状部２ａには一対の切欠き２ｃ，２ｃが形成されており、一方弾性リング部材４にはつまみ部３，３が設けられている。これらの弾性リング部材４のつまみ部３，３は、前記環状部２ａの切欠き２ｃ，２ｃを通して環状部２ａの外方に突出する。前記弾性リング部材４は弾性力を有し、つまみ部３，３を環状部２ａの外方に向けて付勢している。つまみ部３，３は、前記弾性リング部材４と同じ合成樹脂材で成形されており、弾性リング部材４に対して一体に成形されている。前記弾性リング部材４は、上述したレンズキャップ本体２よりも弾力性を有する部材で形成するか、あるいは弾力性を有する肉厚や形状をもって成形されている。
【０００５】
前記レンズキャップ１をレンズ鏡筒に取付ける際には、弾性リング部材４の弾性力に抗してつまみ部３，３を環状部２ａの内方に押圧し、レンズ鏡筒の先端側のアクセサリ取付け部に環状部２ａを嵌込んだ状態でつまみ部３，３の押圧を解除する。これらのつまみ部３，３の押圧が解除されると係合爪部３ａが環状部２ａの外方へ突出する。この環状部２ａはレンズ鏡筒のアクセサリ取付け部に嵌込まれているので、係合爪部３ａはアクセサリ取付け部に係合し、レンズキャップ１のレンズ鏡筒への取付けが完了する。
なお、図中３ｂ，３ｂはつまみ部３，３を外方から押圧する際に操作者の指等が触れることになる押圧部である。
【０００６】
上述したレンズキャップ１の取外しの際には、上述したつまみ部３，３の押圧部３ｂ，３ｂを外方から求心方向に押圧し、弾性リング部材４の弾性力に抗して係合爪部３ａ，３ａを図中矢印Ａ方向に移動させ、係合爪部３ａ，３ａとアクセサリ取付け部との係合を解除することによりレンズキャップ１を取外すことができるようになっている。
【０００７】
【発明が解決しようとする課題】
上述したような構造によるレンズキャップ１では、着脱時に操作者がつまみ部３，３を適度な力量で操作できるように構成しているため、このつまみ部３，３の係合爪部３ａ，３ａをレンズ側アクセサリ取付け部に押し付ける力、すなわち弾性リング部材４の弾性力をあまり大きくはできず、外部からの力、たとえばレンズ鏡筒の先端をぶつける等するとレンズキャップ１が脱落してしまう場合がある。
【０００８】
それを防止する構成として、たとえば特開平７−２６１２４１号公報に示された構成がある。しかし、この従来の構造では、ロック部材がレンズ光軸付近にあるためにレンズ光軸付近に部材が配置されることを許容できるもの、たとえばレンズキャップ等に使用が限定され、しかも前述した図６に示す構造のレンズキャップに比べて構成部品点数が増えてしまう。
【０００９】
本発明は上述した事情に鑑みてなされたものであり、必要最小限の構成部品点数で構成できるとともに、簡単な操作でレンズ鏡筒に着脱することができ、しかもレンズキャップに最適で、状況が許せばレンズフード等、他のレンズ用アクセサリにも使用可能な脱落防止機構を備えたレンズ用アクセサリを得ることを目的とする。
【００１０】
【課題を解決するための手段】
このような目的に応えるために本発明に係るレンズ用アクセサリは、アクセサリ取付け用筒状部内に嵌込んだ状態で取付けられる円環状部分を有しこの円環状部分の一部に切欠きを形成しているアクセサリ本体と、このアクセサリ本体の円環状部分の内側に回動変位可能な状態で保持され、前記切欠きを介して外方に突出する方向に付勢されるとともに一部に前記アクセサリ取付け用筒状部の内周面に径方向内側から係合する係合爪部を設けた前記切欠きよりも幅狭なつまみ部を有する弾性リング部材とを備えている。そして、前記弾性リング部材をアクセサリ本体に対して相対的に回動変位させることにより、つまみ部の径方向内側への動きを許容し係合爪部をアクセサリ取付け用筒状部内周面へ係合または係合解除する着脱位置と、つまみ部の径方向内側への動きを規制し係合爪部をアクセサリ取付け用筒状部内周面に係合させた状態を維持するロック位置とを選択できるように構成したものである。
【００１１】
また、本発明に係るレンズ用アクセサリは、前記アクセサリ本体と弾性リング部材とに、この弾性リング部材を前記アクセサリ本体に対し着脱位置からロック位置に回動変位させたときに、前記つまみ部の径方向内側への動きを規制する係合手段を設けたものである。
ここで、上述した係合手段としては、前記アクセサリ本体に一体または一体的に設けた係合部としての突起部と前記弾性リング部材に設けた被係合部としての係合溝とによって構成したものである。
【００１２】
また、本発明に係るレンズ用アクセサリは、前記アクセサリ本体の円環状部分の一部に軸線に対して略直角方向に移動可能な弾性変形部を有する弾性片を少なくとも一つ設け、前記弾性リング部材の一部に前記弾性片の弾性変形部を径方向外側に押圧する膨出部を設け、前記弾性リング部材がアクセサリの脱落を防止する所定の回動位置に至ったときに前記膨出部により前記弾性片の弾性変形部を径方向外側に付勢し、アクセサリ取付け用筒状部の内周面に係着させることによりその保持力を増加させるように構成したものである。
【００１３】
さらに、本発明に係るレンズ用アクセサリは、アクセサリ取付け用筒状部内に嵌込んだ状態で取付けられる円環状部分を有しこの円環状部分の一部に切欠きを形成しているアクセサリ本体と、このアクセサリ本体の円環状部分の内側に回動変位可能な状態で保持され前記切欠きを介して外方に突出している前記切欠きよりも幅狭なつまみ部を有する弾性リング部材とを備え、前記アクセサリ本体の円環状部分の一部に軸線に対して略直角方向に移動可能な弾性変形部を有する弾性片を少なくとも一つ設け、前記弾性リング部材の一部に前記弾性片の弾性変形部を径方向外側に押圧する膨出部を設け、前記弾性リング部材がアクセサリの脱落を防止する所定の回動位置に至ったときに前記膨出部により前記弾性片の弾性変形部を径方向外側に付勢し、アクセサリ取付け用筒状部の内周面に押し付けてこの内周面への保持力を得るように構成したものである。
【００１４】
ここで、上述した弾性片の弾性変形部（たとえば片持ち弾性片の先端部または両持ち弾性片の中央の弾性変形部）に摩擦部材を設けるとよい。また、上述した弾性リング部材にアクセサリ本体との相対的な回動変位にクリック感を与える手段を設けるとよい。
【００１５】
本発明によれば、レンズ用アクセサリにおける弾性リング部材のつまみ部を径方向内側に押圧しながらアクセサリ本体の円環状部分を、アクセサリ取付け用筒状部であるレンズ鏡筒の先端部内周面に嵌込み、かつつまみ部を切欠き内で着脱位置からロック位置まで回動変位させて弾性リング部材をアクセサリ本体に対し相対的に回動させることにより、そのつまみ部の一部に設けた係合爪部をアクセサリ取付け用筒状部の内周面に係合させ、しかもその係合状態をロックすることができる。したがって、アクセサリ取付け用筒状部からレンズ用アクセサリが脱落することを防止することができる。
【００１６】
また、本発明によれば、アクセサリ取付け用筒状部への取付け状態において、弾性リング部材のつまみ部を、アクセサリ本体側の切欠き内でロック位置から着脱位置まで回動変位させて弾性リング部材をアクセサリ本体に対し相対的に回動させることにより、つまみ部の径方向内側への動きが許容されることになる。したがって、このつまみ部を径方向内側に押圧し、その係合爪部のアクセサリ取付け用筒状部内周面への係合状態を解除し、アクセサリ本体の円環状部分をアクセサリ取付け用筒状部内周面から引き抜くことにより、レンズ用アクセサリを取外すことができる。
【００１７】
さらに、本発明によれば、アクセサリ本体の円環状部分の内側で弾性リング部材を相対的に回動変位させることにより、この弾性リング部材の一部に設けた膨出部により、アクセサリ本体の円環状部分の一部に設けた弾性片の弾性変形部を径方向外側に押圧し、これをアクセサリ取付け用筒状部の内周面に押し付けることにより、このレンズ用アクセサリを脱落しないように保持させることができる。
【００１８】
レンズ用アクセサリとは、たとえばレンズキャップやレンズフードをいうが、これに限らない。このレンズ用アクセサリはたとえばレンズ鏡筒先端部に装着されるが、これに限らず、アクセサリ取付け用の筒状部であればよい。
レンズ用アクセサリを構成するアクセサリ本体や弾性リング部材は、合成樹脂材により一体に形成され、所要の状態で組み立てられるものであるが、これに限らない。
弾性片（片持ち弾性片または両持ち弾性片）は少なくとも一箇所に設けるとよいが、前記つまみ部と略９０度間隔をおいてずれた二位置に設けるとよい。
【００１９】
【発明の実施の形態】
図１および図２は本発明に係るレンズ用アクセサリをレンズキャップに適用した場合の一つの実施の形態を示すものであり、これらの図において、前述した図６と同一または相当する部分には同一番号を付して詳細な説明は省略する。
【００２０】
レンズキャップ１は、レンズキャップ本体２とその環状部（円環状部分）２ａの内周面に回動可能に保持した弾性リング部材４とからなり、この弾性リング部材４は、レンズキャップ本体２の環状部２ａの一部から内側に向かって突設した係止片２ｄにより図１中紙面に対して垂直な方向への移動が規制された状態で保持されている。
【００２１】
また、前記弾性リング部材４のつまみ部３，３は、このリング部材４の弾性を利用して環状部２ａの径方向に変位可能に構成されている。
これらのつまみ部３，３は、前記レンズキャップ本体２の環状部２ａに形成された切欠き１１，１１より環状部２ａの外方に突出する。
【００２２】
これらのつまみ部３，３は、係合爪部３ａ，３ａと、押圧部３ｂ，３ｂとを有する。これらの係合爪部３ａ，３ａは、前記レンズキャップ本体２の環状部２ａよりも若干外方に突出してレンズ鏡筒｛図２（ｃ）中６で示す｝の先端部内周面に径方向内側から係合してレンズキャップ１の脱落を防ぐ。前記押圧部３ｂ，３ｂはつまみ部３，３を外部から操作する際に操作者の指が触れる部分である。これらの押圧部３ｂ，３ｂを外部から操作することにより、これらの押圧部３ｂ，３ｂとともに係合爪部３ａ，３ａが進退動作する。なお、図２（ｃ）中６ａはレンズ鏡筒６の先端部開口端における内周面に形成したねじ部、７はレンズ鏡筒６内に保持される撮影レンズである。
【００２３】
上述した構成によれば、つまみ部３，３の外方端の押圧部３ｂ，３ｂを径方向内側（求心方向）に押圧し、係合爪部３ａ，３ａを環状部２ａの外側から突出しない位置まで退避させることにより、環状部２ａをアクセサリ取付け用筒状部であるレンズ鏡筒６の先端部内周面に嵌込むことが可能となる。そして、上述した押圧部３ｂ，３ｂへの押圧力を解除すると、弾性リング部材４の弾性によってつまみ部３，３は突出する方向に付勢され、前記係合爪部３ａ，３ａがレンズ鏡筒６の先端部内周面のねじ部６ａに係合して固定されることになる。これを取外すには、前記押圧部３ｂ，３ｂを外方から押し込み、前記係合爪部３ａ，３ａによる係合状態を解除すればよい。
【００２４】
ここで、本発明によれば、上述したレンズキャップ本体２における切欠き１１，１１は、前記つまみ部３，３の周方向での幅寸法よりも大きい幅を有し、これらのつまみ部３，３の周方向に操作することによって弾性リング部材４がレンズキャップ本体２の環状部２ａ内で回動できるように構成されている。換言すれば、これらのつまみ部３，３は前記切欠き１１，１１よりも幅狭に形成され、弾性リング部材４をレンズキャップ本体２の環状部２ａの内側に回動自在に保持させたときに、つまみ部３，３を切欠き１１，１１の幅寸法との差の分だけ図１中反時計方向に回動変位させ、図２に示す状態とすることができる。
【００２５】
そして、このような構成によれば、弾性リング部材４をレンズキャップ本体２に対して相対的に回動変位させることにより、前記つまみ部３，３の径方向内側への動きを許容し前記係合爪部３ａ，３ａがレンズ鏡筒６の先端部内周面へ係合すること、または係合爪部３ａ，３ａがレンズ鏡筒６の先端部内周面から係合解除されることを許容する着脱位置｛図１（ａ）に示す位置｝と、つまみ部３，３の径方向内側への動きを規制し前記係合爪部３ａ，３ａがレンズ鏡筒６の先端部内周面に係合した状態を維持するロック位置｛図２（ａ）に示す位置｝とが選択できるようになる。
なお、このつまみ部３，３の回動方向は図１中時計方向であってもよく、この場合には上述した着脱位置とロック位置、さらに後述する突起部や係合溝の関係を逆に構成すればよい。
【００２６】
前記レンズキャップ本体２の蓋部２ａには、図１に示すようにつまみ部３，３が各切欠き１１，１１の図１中時計方向寄りに位置している状態において、各つまみ部３，３の幅方向の略中央部分に対向する位置に突起部１２，１２が設けられている。
これらの突起部１２，１２は、図１に示すようにつまみ部３，３が外方に突出している状態では、前記弾性リング部材４の環状部４ａの内周面に近接する位置に設けられている。
【００２７】
一方、これらの突起部１２，１２に対向して前記つまみ部３，３の内周面には、略Ｌ字状の係合溝１３が形成されている。
これらのＬ字状係合溝１３，１３は、弾性リング部材４が図１（ａ）の着脱位置にある状態において押圧部３ｂ，３ｂを径方向内側（求心方向）に押圧したときに突起部１２，１２を通過させる逃げ用溝部１３ａ，１３ａと、前記弾性リング部材４が図２（ａ）のロック位置にある状態において押圧部３ｂ，３ｂが径方向内側へ押圧されたときに前記突起部１２，１２に当接することによりつまみ部３，３の動きを規制する拘束用溝部１３ｂ，１３ｂとから形成されている。
【００２８】
このような構成において、レンズキャップ１のレンズ鏡筒６の先端部内周面への組み付けは、以下のようにして行う。
すなわち、図１に示す状態において前記つまみ部３，３の押圧部３ｂ，３ｂを求心方向に押圧すると、突起部１２，１２は係合溝１３，１３の逃げ用溝部１３ａ，１３ａに係入されるため、つまみ部３，３の動きは許容され、係合爪部３ａ，３ａを本体環状部２ａよりも内側に移動させることができる。この状態で、このレンズキャップ本体２の環状部２ａを前記レンズ鏡筒６の先端部内周面に嵌込む。
【００２９】
そして、この状態において、前記押圧部３ｂ，３ｂを図中反時計方向に回動させながら押圧力を解除すると、つまみ部３，３は外方に突出し、その係合爪部３ａ，３ａが前記ねじ部６ａに係合し、レンズ鏡筒６にレンズキャップ１を組み付けることができる。
また、このときには、前記突起部１２，１２が、前記係合溝１３，１３の拘束用溝部１３ｂ，１３ｂに係合している。この状態では、つまみ部３，３は、レンズ鏡筒６の先端部内周面のねじ部６ａと突起部１２，１２との間に挟まれて径方向への動きを拘束されてロックされることになり、レンズキャップ１のレンズ鏡筒６からの脱落が防止される。
【００３０】
図１（ａ）はレンズキャップ１が非ロック状態にあり、着脱位置にあるつまみ部３，３を押圧して移動させることが可能な状態を示す。このときには、前記突起部１２，１２と係合溝１３，１３の逃げ用溝部１３ａ，１３ａはつまみ部３，３の移動方向に並んで位置している。
図２（ａ）は図１（ａ）の状態からレンズキャップ１（つまみ部３，３）を図中反時計方向に回動させてつまみ部３，３をロック位置に位置させ、ロック状態とした場合である。この回動角度は、つまみ部３，３と切欠き１１，１１との幅寸法の関係、さらに突起部１２，１２と係合溝１３，１３との関係によって決まるものであり、任意に設定すればよい。
【００３１】
上述したロック状態を解除するには、つまみ部３，３をレンズキャップ本体２に対して相対的に回動させ（図中時計方向）、突起部１２，１２が係合溝１３，１３の逃げ用溝部１３ａ，１３ａに対向するようにし、この状態でつまみ部３，３を外方から径方向内側（求心方向）に押圧するとともに、キャップ１全体をレンズ鏡筒６から取外せばよい。
【００３２】
このような構成によれば、上述したロック状態では、外部からの衝撃等が加わったり、操作者が前記つまみ部２ｂを何かに当てた場合でも、容易に外れることのないレンズキャップ１となる。
【００３３】
図３は本発明の別の実施の形態を示し、上述した図１、図２と同一または相当する部分には同一符号を付して説明は省略する。
この実施の形態では、環状部２ａの一部に、片持ち弾性片２１，２１を設け、この片持ち弾性片２１，２１が環状部２ａよりも外方に弾性変形するように形成している。そして、この片持ち弾性片２１，２１の先端部外側（径方向外側面）にゴム等の摩擦部材２２を接着剤等で付設している。
【００３４】
なお、上述した片持ち弾性片２１，２１の代わりに、環状部２ａの一部に弾性変形可能な両持ち弾性片を形成し、その中央の弾性変形部に摩擦部材２２を付設してもよい。
また、上述した摩擦部材２２はゴム等には限らず、摩擦係合によりアクセサリ取付け用筒状部内周面へ係着するものであれば、適宜に材料を変更することは自由である。勿論、このような摩擦部材２２を、レンズキャップ本体２と同一の材料、たとえば合成樹脂材等で一体に成形してもよい。
【００３５】
一方、前記弾性リング部材４の環状部４ａの外側には、この弾性リング部材４を所定角度回動させてロック状態としたときに、前記片持ち弾性片２１，２１を内側から押して外方（径方向外側）に弾性変形させる膨出部２３，２３を設けている。
この実施の形態では、これらの膨出部２３，２３や上述した片持ち弾性片２１，２１を、つまみ部３，３を設けた位置とは略９０度回転方向にずらした位置に一対設けている。前記一対の膨出部２３，２３は互いに、環状部２ａの中心を通る軸に関して対称な位置に設けられる。前記一対の片持ち弾性片２１，２１も互いに、環状部２ａの中心を通る軸に関して対称な位置に設けられる。
【００３６】
このような構造を採用すると、上述した実施の形態でのロック機能に加えて、片持ち弾性片２１，２１を前記レンズ鏡筒６側（アクセサリ取付け用筒状部内周面）へ押し付けることによるロック機能（係着機能）を得ることができ、レンズキャップ１をレンズ鏡筒６側により強い保持力でもって装着することができ、脱落などが生じにくいレンズキャップ１を得ることができる。
【００３７】
なお、この実施の形態では、片持ち弾性片２１，２１のような弾性片によるロック機能（係着機能）を、前述した実施の形態での突起部１２と係合溝１３とによる係合機能に併用した場合を説明したが、適用するレンズ用アクセサリの種類や使用する状況によっては、図４に示すように、突起部１２や係合溝１３を省略し、片持ち弾性片２１，２１のような弾性片のみのロック機能（係着機能）を採用してもよい。
【００３８】
このような構造では、弾性リング部材４のつまみ部３，３を径方向内側に移動するのを押さえるものがなくなるが、この弾性リング部材４がもともと有している保持力に加え、前記ゴム等による摩擦部材２２による保持力がある。さらに、仮につまみ部３，３に径方向内側（求心方向）への力が加わっても、この弾性リング部材４の全体でのたわみは前記膨出部２３，２３を外方（径方向外側）に押し出す方向に作用するから、摩擦部材２２，２２をより一層径方向外側に押し出し、レンズ鏡筒の先端部内周面に確実に圧接させる。そして、これらの摩擦部材２２，２２による保持力をより一層確保できることになるから、このレンズキャップ１がレンズ鏡筒の先端部内周面からの脱落するといった問題はない。
【００３９】
換言すれば、このような構造では、つまみ部３，３に不用意に力が加わっても、レンズキャップ１とレンズ鏡筒との係着状態を摩擦部材２２，２２によって確実に維持することができる。
【００４０】
したがって、このような構造を採用しても、レンズキャップ１の確実な装着状態を保ち、不用意な脱落を防止できる。このような構造を用いる場合、前記膨出部２３，２３が前記つまみ部３，３に対し、環状部２ａの中心を通る軸の軸線回りで略９０度回転した位置にあることが望ましい。
さらに、このような構造によれば、レンズキャップ本体２に対しての弾性リング部材４の回動角度位置によって保持力を段階的に調節することもできるため、操作者がその状況に応じた保持力を得ることができる。
【００４１】
また、上述した各実施の形態において、固定位置に保持させていたレンズキャップ１を構成するレンズキャップ本体２と弾性リング部材４とが不用意に回動し、通常の位置（非ロック位置）に戻ることのないように、図５に示すように、クリック手段を設けるように構成してもよい。
【００４２】
すなわち、図５は上述した図１での実施の形態にクリック手段を適用した場合を示す。図中３１は前記突起部１２と同様に前記レンズキャップ本体２に一体的に突設したクリックピンで、前記突起部１２が係合溝１３の逃げ用溝部１３ａに対応しているときには、クリックピン３１はクリック溝３２における長穴形状の凹部３２ａに対応する部分に位置し、所定角度回動しロック状態となるときに、クリックピン３１が凹溝３２ｂからクリック突子３３ａを経て係合凹部３３に係合することにより、クリック感を与えるとともに、弾性リング部材４の不用意な回動を規制することができる。上述したクリックピン３１には所要の弾性を持たせ、またクリック突子３３ａも弾性変形可能に構成するものとする。
【００４３】
なお、本発明は上述した実施の形態で説明した構造には限定されず、各部の形状、構造等を適宜変形、変更し得ることはいうまでもない。
たとえばレンズ用アクセサリを構成するアクセサリ本体（レンズキャップ本体２）や弾性リング部材４を、合成樹脂材により一体に成形し、所要の状態で組み立てた場合を説明したが、それぞれの材料や形状は適宜変更し得るものである。また、上述した実施の形態において、図３や図４で説明した実施の形態では、片持ち弾性片２１を二箇所に設けた場合を説明したが、これに限らず、少なくとも一箇所に設ければよい。
【００４４】
さらに、上述した実施の形態では、アクセサリ本体（レンズキャップ本体２）とその内部で回動変位可能に保持させた弾性リング部材４との間に設けたつまみ部３，３の動きを許容したり規制したりする係合手段としての突起部１２，１２を、樹脂製のアクセサリ本体（２）に一体に設けた場合を説明したが、本発明はこれに限定されず、別部材である突起部を植設その他の手段により一体的に設けてもよい。
また、このような突起部１２，１２とこれに対応する係合溝１３，１３とを、実施の形態とは逆の部材に設けてもよい。
【００４５】
また、上述した実施の形態では、本発明をスチルカメラのレンズ鏡筒６の先端部に着脱自在に装着することにより、撮影レンズ７を保護するレンズキャップ１に適用した場合を説明したが、本発明はこれに限定されず、レンズ鏡筒６の先端部等のアクセサリ取付け用筒状部に装着され画質向上のために用いる各種のフィルタ、レンズフード、さらにはフィルタホルダなどに適用することができる。
【００４６】
すなわち、上述した実施の形態ではレンズキャップ１を例示しているが、レンズキャップ本体２のように円環状部分を有するアクセサリ本体とその内側に回動可能に保持した弾性リング部材を備え、この弾性リング部材から外方に突出したつまみ部が径方向において弾性変形する構造であればよい。たとえばレンズ用アクセサリであるレンズフードに用いるためには、このアクセサリ構成部材によってレンズを通る光をけらないような構成とすればよく、適宜適用可能である。
【００４７】
【発明の効果】
以上説明したように本発明に係るレンズ用アクセサリによれば、アクセサリ取付け用筒状部（たとえばレンズ鏡筒の先端部内周面）に、弾性リング部材のつまみ部を径方向内側に押圧しながらアクセサリ本体の円環状部分を嵌込み、弾性リング部材をアクセサリ本体に対し回動変位させることにより、そのつまみ部に設けた係合爪部をアクセサリ取付け用筒状部の内周面に径方向内側から係合させ、しかもその係合状態を確実にロックすることができる。
【００４８】
したがって、本発明によれば、構成部品点数はそのまま、もしくは僅かな増加のみで、レンズ用アクセサリの通常の着脱操作には何らの影響もなく、確実に保持したい時にのみ強力な保持力を得ることができ、また操作者が気づかぬうちにレンズキャップ、もしくは他のレンズアクセサリが脱落するのを減少させることができる。
【００４９】
また、本発明によれば、アクセサリ本体の円環状部分の内側で弾性リング部材を相対的に回動変位させることでこの弾性リング部材の一部に設けた膨出部によってアクセサリ本体の円環状部分の一部に設けた弾性片の弾性変形部を径方向外側に押圧し、これをアクセサリ取付け用筒状部の内周面に押し付けることにより、簡単な構造であるにもかかわらず、弾性リング部材をアクセサリ本体に対し回動変位させるだけで、レンズ用アクセサリをアクセサリ取付け用筒状部に対して脱落しないように簡単に保持させて装着することができる。
【図面の簡単な説明】
【図１】  本発明に係るレンズ用アクセサリをレンズキャップに適用した一つの実施の形態を示し、（ａ）はレンズキャップの背面図、（ｂ）はその要部のみを示す側面図である。
【図２】  図１のレンズキャップをレンズ鏡筒の先端部に装着したときの図であって、（ａ）はレンズキャップの背面図、（ｂ）は要部のみを示す側面図、（ｃ）はレンズ鏡筒への装着状態を示す図である。
【図３】  本発明に係るレンズ用アクセサリとしてのレンズキャップの別の実施の形態を示す背面図である。
【図４】  図３の変形例を示すレンズキャップの背面図である。
【図５】  本発明に係るレンズ用アクセサリとしてのレンズキャップのさらに別の実施の形態を示し、（ａ）はレンズキャップの背面図、（ｂ）はそのＢ部拡大図である。
【図６】  従来のレンズ用アクセサリとしてのレンズキャップを説明するための図であって、（ａ）はレンズキャップの背面図、（ｂ）はその要部側面図である。
【符号の説明】
１…レンズキャップ（レンズ用アクセサリ）、２…レンズキャップ本体、２ａ…環状部、２ｂ…蓋部、２ｄ…係止片、３…つまみ部、３ａ…係合爪部、３ｂ…押圧部、４…弾性リング部材、４ａ…環状部、６…レンズ鏡筒（アクセサリ取付け用筒状部）、６ａ…ねじ部、７…撮影レンズ、１１…切欠き、１２…突起部、１３…係合溝、１３ａ…逃げ用溝部、１３ｂ…拘束用溝部、２１…片持ち弾性片（弾性片；係着手段）、２２…摩擦部材、２３…膨出部、３１…クリックピン、３２…クリック溝、３２ａ…長穴形状の凹部、３２ｂ…凹溝、３３…係合凹部、３３ａ…クリック突子。
【図１】
0004151098.tif 000002
【図２】
0004151098.tif 000003
【図３】
0004151098.tif 000004
【図４】
0004151098.tif 000005
【図５】
0004151098.tif 000006
【図６】
0004151098.tif 000007